(57)【要約】【課題】残像が形成されにくい電気泳動表示装置の駆動方法及び電気泳動表示装置を提供すること。【解決手段】画素電極１１と共通電極２１との間に表示画像を消去する消去電圧を印加して表示部で表示している画像を消去し、画像を消去した後、画素電極１１と共通電極２１との間に新たな表示画像を書き込む書込電圧を連続して複数回印加することとしたので、消去駆動によって消去しきれずに形成された残像を書込の際に除去することができる。これにより、電気泳動表示装置の駆動を行う際に残像を形成しにくくすることができる。【選択図】図４
2008139737.tif 000002
【特許請求の範囲】
【請求項１】
複数の画素を有すると共に、当該各画素について設けられた画素電極と、当該画素電極に対向して設けられた共通電極と、帯電粒子を分散させてなり前記画素電極と前記共通電極との間に設けられた電気泳動材料とを有する表示部を備え、
前記画素電極と前記共通電極との間に電圧を印加することにより前記帯電粒子を移動させて画像を表示する電気泳動表示装置の駆動方法であって、
前記画素電極と前記共通電極との間に前記表示画像を消去する消去電圧を印加して前記表示部で表示している画像を消去し、
前記画像を消去した後、前記画素電極と前記共通電極との間に新たな表示画像を書き込む書込電圧を連続して複数回印加する
ことを特徴とする電気泳動表示装置の駆動方法。
【請求項２】
前記画素電極と前記共通電極との間に印加する前記書込電圧の制御を行う制御部が複数設けられており、
前記複数の制御部のうち一の制御部の制御によって前記書込電圧の印加を行い、
前記一の制御部による前記書込電圧の印加の後、前記複数の制御部のうち他の制御部の制御によって前記書込電圧の印加を連続的に行う
ことを特徴とする請求項１に記載の電気泳動表示装置の駆動方法。
【請求項３】
前記複数の書込電圧が印加される期間の間に、前記画素電極と前記共通電極との間に所定の周波数のパルス電圧を印加する
ことを特徴とする請求項１又は請求項２に記載の電気泳動表示装置の駆動方法。
【請求項４】
複数の画素を有すると共に、当該各画素について設けられた画素電極と、当該画素電極に対向して設けられた共通電極と、帯電粒子を分散させてなり前記画素電極と前記共通電極との間に設けられた電気泳動材料とを有する表示部を備え、
前記画素電極と前記共通電極との間に電圧を印加することにより前記帯電粒子を移動させて画像を表示する電気泳動表示装置であって、
前記画素電極と前記共通電極との間に電圧を印加する電圧印加手段と、
前記画素電極と前記共通電極との間に前記表示画像を消去する消去電圧を印加して前記表示部で表示している画像を消去し、前記画像を消去した後、前記画素電極と前記共通電極との間に新たな表示画像を書き込む書込電圧を連続して複数回印加するように、前記画素電極と前記共通電極との間に印加される電圧を制御する制御部と
を具備することを特徴とする電気泳動表示装置。
【請求項５】
前記制御部が複数設けられており、
前記複数の制御部のそれぞれが独立して前記書込電圧を制御可能になっている
ことを特徴とする請求項４に記載の電気泳動表示装置。
【発明の詳細な説明】
【技術分野】
【０００１】
本発明は、電気泳動表示装置の駆動方法及び電気泳動表示装置に関する。
【背景技術】
【０００２】
液体中に分散した帯電粒子が電界印加により泳動する電気泳動現象の応用として、電気泳動表示装置が知られている。電気泳動表示装置は、帯電した顔料微粒子を分散液に分散させ、これを画素電極と共通電極との間に挟んだ構成になっている。例えば帯電粒子が負に帯電している場合、この電極間に電界を加えると、帯電粒子は電界の方向とは逆の方向に移動する。画素電極又は共通電極の表面では、溶媒の色又は帯電粒子の色のどちらかに着色されたように見える。例えば複数の画素についてこのような構成を設けて、電子インクの帯電粒子の移動を画素毎に制御することにより、電気泳動表示装置として表示情報を表現することが可能となる。近年では、電子インクをマイクロカプセル内に充填することで信頼性を向上できることが明らかになり、マイクロカプセルを備えた電気泳動表示装置が一躍脚光を浴びるようになった。
【０００３】
このような電気泳動表示装置を駆動する場合、例えば表示画像の変更を行う際には、それまで表示していた内容を表示領域全体に渡って消去し（全白消去又は全黒消去）、その後新たな表示内容の書き換えを行うようにしている（例えば、特許文献１参照。）。具体的には、画素電極を全て同じ電位にした上で、共通電極と画素電極間に電圧を印加することにより、それまで表示していた内容を表示領域全体に渡って消去し、その後新たな表示内容の書き換えを行うものである。一方、この駆動方法では、表示領域に残像が形成されやすいという問題があった。  
これに対して、例えば全白消去又は全黒消去の期間を長くしたり短くしたり、反転書込消去を行ったりなど、残像を無くす手法が案出されている。  
【０００４】
【特許文献１】特開２００２−１４９１１５号公報
【発明の開示】
【発明が解決しようとする課題】
【０００５】
しかしながら、上記手法においても、残像を完全に解消しきれないという問題がある。
以上のような事情に鑑み、本発明の目的は、残像が形成されにくい電気泳動表示装置の駆動方法及び電気泳動表示装置を提供することにある。
【課題を解決するための手段】
【０００６】
上記目的を達成するため、複数の画素を有すると共に、当該各画素について設けられた画素電極と、当該画素電極に対向して設けられた共通電極と、帯電粒子を分散させてなり前記画素電極と前記共通電極との間に設けられた電気泳動材料とを有する表示部を備え、前記画素電極と前記共通電極との間に電圧を印加することにより前記帯電粒子を移動させて画像を表示する電気泳動表示装置の駆動方法であって、前記画素電極と前記共通電極との間に前記表示画像を消去する消去電圧を印加して前記表示部で表示している画像を消去し、前記画像を消去した後、前記画素電極と前記共通電極との間に新たな表示画像を書き込む書込電圧を連続して複数回印加することを特徴とする。  
本発明によれば、画素電極と共通電極との間に表示画像を消去する消去電圧を印加して表示部で表示している画像を消去し、画像を消去した後、画素電極と共通電極との間に新たな表示画像を書き込む書込電圧を連続して複数回印加することとしたので、消去駆動によって消去しきれずに形成された残像を書込の際に除去することができる。これにより、残像が形成されにくい電気泳動表示装置の駆動方法を提供することができる。
【０００７】
上記の電気泳動表示装置の駆動方法は、前記画素電極と前記共通電極との間に印加する前記書込電圧の制御を行う制御部が複数設けられており、前記複数の制御部のうち一の制御部の制御によって前記書込電圧の印加を行い、前記一の制御部による前記書込電圧の印加の後、前記複数の制御部のうち他の制御部の制御によって前記書込電圧の印加を連続的に行うことを特徴とする。  
従来のように全白消去、全黒消去の期間を長くしたり短くしたり、反転書込消去を行ったりする方法では、消去の動作を何度も行うことになるため、書き換えまでに時間が掛かってしまうという問題がある。これに対して、本発明によれば、画素電極と共通電極との間に印加する書込電圧の制御を行う制御部が複数設けられており、複数の制御部のうち一の制御部の制御によって書込電圧の印加を行い、一の制御部による書込電圧の印加の後、複数の制御部のうち他の制御部の制御によって書込電圧の印加を連続的に行うこととしたので、書込電圧の印加に要する時間を短縮することができる。これにより、書き換えまでに要する時間を短縮することができ、高速の動作が可能になる。
【０００８】
上記の電気泳動表示装置の駆動方法は、前記複数の書込電圧が印加される期間の間に、前記画素電極と前記共通電極との間に所定の周波数のパルス電圧を印加することを特徴とする。  
本発明によれば、複数の書込電圧が印加される期間の間に、画素電極と共通電極との間に所定の周波数のパルス電圧を印加することとしたので、当該高周波によって帯電粒子の動きに加速をつけることができる。これにより、帯電粒子の移動が促進されるので、残像が形成されにくくなる。
【０００９】
本発明に係る電気泳動表示装置は、複数の画素を有すると共に、当該各画素について設けられた画素電極と、当該画素電極に対向して設けられた共通電極と、帯電粒子を分散させてなり前記画素電極と前記共通電極との間に設けられた電気泳動材料とを有する表示部を備え、前記画素電極と前記共通電極との間に電圧を印加することにより前記帯電粒子を移動させて画像を表示する電気泳動表示装置であって、前記画素電極と前記共通電極との間に電圧を印加する電圧印加手段と、前記画素電極と前記共通電極との間に前記表示画像を消去する消去電圧を印加して前記表示部で表示している画像を消去し、前記画像を消去した後、前記画素電極と前記共通電極との間に新たな表示画像を書き込む書込電圧を連続して複数回印加するように、前記画素電極と前記共通電極との間に印加される電圧を制御する制御手段とを具備することを特徴とする。  
本発明によれば、画素電極と共通電極との間に電圧を印加する電圧印加手段と、画素電極と共通電極との間に表示画像を消去する消去電圧を印加して表示部で表示している画像を消去し、画像を消去した後、画素電極と共通電極との間に新たな表示画像を書き込む書込電圧を連続して複数回印加するように、画素電極と共通電極との間に印加される電圧を制御する制御手段とを具備することとしたので、消去駆動によって消去しきれずに形成された残像を書込の際に除去することができる。これにより、残像が形成されにくい電気泳動表示装置を得ることができる。
【００１０】
上記の電気泳動表示装置は、前記制御部が複数設けられており、前記複数の制御部のそれぞれが独立して前記書込電圧を制御可能になっていることを特徴とする。  
本発明によれば、制御部が複数設けられており、複数の制御部のそれぞれが独立して書込電圧を制御可能になっているので、書込電圧印加の制御方法の幅が広がることになる。例えば複数の制御部のうち一の制御部によって書込電圧を印加した後に他の制御部が連続して書込電圧を印加する、という制御も可能になる。この制御により、書込電圧の印加に要する時間を短縮することができ、書き換えまでに要する時間を短縮することができるので、高速の動作が可能になる。
【発明を実施するための最良の形態】
【００１１】
［第１実施形態］  
本発明の第１実施形態を図面に基づき説明する。  
図１は、本実施形態に係る電気泳動表示装置１の構成を示す模式図である。  
同図に示すように、電気泳動表示装置１は、表示領域に画素７がマトリクス状に配列された表示部２と、画素７の間の領域を表示部２の図中短手方向に延在するデータ線５と、画素７の間の領域を表示部２の長手方向に延在する走査線６と、画素７の間の領域を表示部２の図中長手方向に走査線６に沿って延在する容量線８と、データ線５に信号を供給するデータ線駆動回路３と、走査線６及び容量線８に信号を供給する走査線駆動回路４とを含んで構成されてたアクティブマトリクス型の電気泳動表示装置である。
【００１２】
図２は、電気泳動表示装置１の表示部２の構成を示す断面図である。  
同図に示すように、表示部２は、素子基板１０と、表示基板２０と、マイクロカプセル３０とを主体として構成されている。
【００１３】
素子基板１０は、例えばガラスやプラスチックなどの材料からなる矩形の基板である。素子基板１０の内面（表示基板２０との対向面）には、画素７ごとに画素電極１１が形成されている。画素電極１１の間の領域には、上述したデータ線５や走査線６、制御線８などの配線（図１参照）や、ＴＦＴ素子（図５参照）が設けられている。
【００１４】
表示基板２０は、例えばガラスなどの光透過可能な材料からなる矩形の基板である。表示基板２０の表面２０ａは、動画や静止画などが表示される表示面になっている。表示基板２０の内面（素子基板１０との対向面）には、共通電極２１が全面に形成されている。共通電極２１は、光透過可能な導電材料、例えばＩＴＯ（Indium Tin Oxide）などからなる。共通電極２１は、例えば電源ドライバ２２（図４参照）に接続されており、共通電極２１に印加する電圧を制御可能に設けられている。
【００１５】
図３（ａ）は、マイクロカプセル３０の構成を示す図である。  
マイクロカプセル３０は、例えば５０μｍ程度の粒径を有すると共にポリメタクリル酸メチル、ポリメタクリル酸エチル等のアクリル樹脂、ユリア樹脂、アラビアゴム等の光透過可能な高分子樹脂によって形成されたカプセルである。このマイクロカプセル３０は、共通電極２１と上述の画素電極１１との間に挟持されており、一つの画素内に複数のマイクロカプセル３０が縦横に配列された構成になっている。マイクロカプセル３０の周囲を埋めるように、当該マイクロカプセル３０を固定するバインダ（図示しない）が設けられている。
【００１６】
マイクロカプセル３０の内部には、分散液３１と、帯電粒子（白色粒子３２及び黒色粒子３３）とが封入されている。  
分散液３１は、例えば水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独又はこれらの混合物に界面活性剤等を配合したものからなり、白色粒子３２と黒色粒子３３とを分散させる液体である。
【００１７】
白色粒子３２及び黒色粒子３３は、分散液３１中で電位差による電気泳動により移動する性質を有している。  
白色粒子３２は、例えば、二酸化チタン、亜鉛華、三酸化アンチモン等の白色顔料からなる粒子（高分子あるいはコロイド）であり、例えば負に帯電されている。  
黒色粒子３３は、例えば、アニリンブラック、カーボンブラック等の黒色顔料からなる粒子（高分子あるいはコロイド）であり、例えば正に帯電されている。
【００１８】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００１９】
白色粒子３２及び黒色粒子３３は溶媒中のイオンによって覆われており、イオン層３４が形成されている。帯電している白色粒子３２及び黒色粒子３３とイオン層３４との間には、電気二重層が形成されている。一般的に、白色粒子３２や黒色粒子３３などの帯電粒子は、１０ｋＨｚ以上の周波数の電界を印加しても、電界にほとんど反応せず、ほとんど移動しないことが知られている。帯電粒子の周りのイオンは、帯電粒子に比べて粒子径がはるかに小さいので、電界の周波数が１０ｋＨｚ以上の電界を印加すると電界に応じて移動することが知られている。
【００２０】
上記のように構成されたマイクロカプセル３０の動作を説明する。ここでは、イオン層３４が形成されない理想的な場合を例に挙げて説明する。画素電極１１と共通電極２１との間で相対的に画素電極１１の電圧が高くなるように電圧を印加すると、図３（ｂ）に示すように、正に帯電された黒色粒子３３はクーロン力によってマイクロカプセル３０内の画素電極側に引き寄せられる。一方、負に帯電された白色粒子３２はクーロン力によってマイクロカプセル３０内の共通電極２１に引き寄せられる。この結果、マイクロカプセル３０内の表示面側には白色粒子３２が集まることになり、表示面２０ａにはこの白色粒子３２の色（白色）が表示されることとなる。
【００２１】
逆に、画素電極１１と共通電極２１との間に相対的に画素電極１１の電位が高くなるように電圧を印加すると、図３（ｃ）に示すように、負に帯電された白色粒子３２がクーロン力によって画素電極１１側に引き寄せられる。逆に、正に帯電された黒色粒子３３はクーロン力によって共通電極２１側に引き寄せられる。この結果、マイクロカプセル３０内の表示面側には黒色粒子３３が集まることになり、表示面２０ａにはこの黒色粒子３３の色（赤色、緑色、青色又は黒色）が表示されることとなる。
【００２２】
図４は、表示部２のうち１つの画素についての回路構成を示す図である。  
同図に示すように、画素電極１１はデータ線５に接続されており、共通電極２１は所定の電位を設定可能な電源等に接続されている。画素電極１１とデータ線５との間にはＴＦＴ（Thin Film Transistor）４１が設けられている。画素電極１１は、保持容量９に接続されており、保持容量９は容量線８に接続されている。共通電極２１は、別途電源に接続されている。
【００２３】
次に、上記のように構成された電気泳動表示装置１の動作のうち、表示内容を更新する場合の動作を説明する。図５（ａ）は、現在表示されている画像及び新たな画像の表示データを示す図である。図５（ｂ）は、表示部２の表示状態を示す図である。図６は、書込電圧の波形を示す図である。図７は、書込電圧の書込回数と表示部のコントラスト比との関係を示すグラフである。グラフの横軸は書き込み回数を示している。グラフの縦軸はコントラスト比を示している。
【００２４】
ここでは、例えば図５（ａ）に示すように、表示部２の表示領域に「ＴＥＳＴ」という画像が表示されている場合において、現在表示されている「ＴＥＳＴ」の画像を消去して新たな「●（黒丸）」という画像を表示する際の動作を例に挙げて説明する。
【００２５】
まず、表示部２の表示領域に「ＴＥＳＴ」の画像が表示されている状態で、表示部２の共通電極２１と全ての画素電極１１との間に消去電圧を印加する。具体的には、全データ線５にオフ電圧（０Ｖ）を印加し、走査線６には順にオン電圧（９Ｖ）を印加していくように制御する。また、共通電極２１がオン電圧となるように制御する。この制御により、共通電極２１から画素電極１１に向けて電界が発生する。この電界によって負に帯電した白色粒子３２が共通電極２１側、すなわち表示面側に移動し、全画素７が白色表示となる（全白消去）。
【００２６】
次に、表示部２の表示領域に黒丸の画像データを１回書き込む（１回目）。具体的には、図６に示すように、黒丸を表示する部分のデータ線５にはオン電圧（１０Ｖ）を印加する。黒丸を表示する部分以外の部分のデータ線にはオフ電圧（０Ｖ）を印加する。この状態で走査線６には順にオン電圧（９Ｖ）を印加していくように制御する。共通電極２１については、オフ電圧（０Ｖ）となるように制御する。また、容量線８には０．５Ｖの電圧を印加しておくようにする。この結果、図５（ｂ）に示すように、「ＴＥＳＴ」の残像が形成された状態で黒丸が表示される。図７に示すように、このときの表示部２のコントラスト比は５．３７程度である。
【００２７】
次に、表示部２の表示領域に黒丸の画像データをもう１回書き込む（２回目）。具体的な動作は１回目の動作と同様である。この結果、図５（ｂ）に示すように、１回目の動作後と比べて「ＴＥＳＴ」の残像が薄くなり、黒丸がより濃く表示される。図７に示すように、このときの表示部２のコントラスト比は１０．９６程度である。２回目の書込終了後には１回目の書込終了後に比べてコントラストが２倍近くにまで向上していることが分かる。
【００２８】
次に、表示部２の表示領域に黒丸の画像データをさらに１回書き込む（３回目）。具体的な動作は１回目及び２回目の動作と同様である。この結果、図５（ｂ）に示すように、「ＴＥＳＴ」の残像が視認できない程度に消去され、２回目の動作後と比べて黒丸がより濃く表示される。図７に示すように、このときの表示部２のコントラスト比は１２．５９程度である。３回目の書込終了後には、２回目の書込終了後に対してさらに向上していることが分かる。以下、４回目の書込終了後にはコントラストは１２．８８程度になっており、５回目の書込終了後にはコントラストは１３．１８程度になっている。３回目の書込以降は、書き込みの回数を重ねる毎にわずかずつコントラストが向上していることがわかる。
【００２９】
このように、本実施形態によれば、画素電極１１と共通電極２１との間に表示画像を消去する消去電圧を印加して表示部２で表示している画像を消去し、画像を消去した後、画素電極１１と共通電極２１との間に新たな表示画像を書き込む書込電圧を連続して複数回印加することとしたので、消去駆動によって消去しきれずに形成された残像を書込の際に除去することができる。これにより、電気泳動表示装置１の駆動を行う際に残像を形成しにくくすることができる。
【００３０】
［第２実施形態］  
次に、本発明の第２実施形態を説明する。第１実施形態と同様、以下の図では、各部材を認識可能な大きさとするため、縮尺を適宜変更している。第１実施形態と同一の構成要素については、その説明を省略する。本実施形態では、走査線駆動回路及びデータ線駆動回路の構成が第１実施形態と異なっているため、この点を中心に説明する。
【００３１】
図８は、本実施形態に係る電気泳動表示装置１０１の構成を示す模式図である。同図に示すように、本実施形態では、走査線駆動回路とデータ線駆動回路との組が２組設けられた構成になっている。具体的には、表示部１０２のうち長手方向の２辺に沿うようにデータ線駆動回路１０３ａ及び１０３ｂが設けられており、短手方向の２辺に沿うように走査線駆動回路１０４ａ及び１０４ｂが設けられている。
【００３２】
データ線１０５は一端がデータ線駆動回路１０３ａに接続されており、他端がデータ線駆動回路１０３ｂに接続されている。１本のデータ線１０５について、データ線駆動回路１０３ａとデータ線駆動回路１０３ｂとの両方が独立して制御可能になっている。走査線１０６は、一端が走査線駆動回路１０４ａに接続されており、他端が走査線駆動回路１０４ｂに接続されている。１本の走査線１０６について、走査線駆動回路１０４ａと走査線駆動回路１０４ｂとの両方が独立して制御可能になっている。  
その他の構成については、第１実施形態と同一になっている。
【００３３】
次に、上記のように構成された電気泳動表示装置１０１の動作を説明する。ここでは、第１実施形態と同一の例において、書き込みのステップを中心に説明する。  
まず、表示部１０２の表示領域を全白消去する。その後、表示部１０２の表示領域に黒丸の画像データを１回書き込む（１回目）。このとき、データ線１０５及び走査線１０６に印加される書込電圧については、データ線駆動回路１０３ａ及び走査線駆動回路１０４ａによって制御する。具体的な動作は第１実施形態と同様である。
【００３４】
１回目の書き込みが終了した直後、すなわち、すべての走査線１０６について一通り走査が完了した直後、表示部２の表示領域に黒丸の画像データをもう１回書き込む（２回目）。このとき、データ線１０５及び走査線１０６に印加される書込電圧については、データ線駆動回路１０３ｂ及び走査線駆動回路１０４ｂによって制御する。具体的な動作は第１実施形態と同様である。
【００３５】
２回目の書き込みが終了した直後、表示部２の表示領域に黒丸の画像データをさらに１回書き込む（３回目）。このとき、データ線１０５及び走査線１０６に印加される書込電圧については、データ線駆動回路１０３ａ及び走査線駆動回路１０４ａによって制御する。具体的な動作は第１実施形態と同様である。
【００３６】
従来の制御方法、すなわち、全白消去、全黒消去の期間を長くしたり短くしたり、反転書込消去を行ったりする方法では、消去の動作を何度も行うことになるため、書き換えまでに時間が掛かってしまうという問題がある。これに対して、本実施形態によれば、画素電極と共通電極との間に印加する書込電圧の制御を行うデータ線駆動回路１０３ａ、１０３ｂ及び走査線駆動回路１０４ａ、１０４ｂが２組設けられており、２組のデータ線駆動回路１０３ａ、１０３ｂ及び走査線駆動回路１０４ａ、１０４ｂのうち１組の制御によって書込電圧の印加を行い、当該１組の制御による書込電圧の印加の後、もう１組の制御によって書込電圧の印加を連続的に行うこととしたので、書込電圧の印加に要する時間を短縮することができる。これにより、書き換えまでに要する時間を短縮することができ、高速の動作が可能になる。
【００３７】
［第３実施形態］  
次に、本発明の第３実施形態を説明する。第１実施形態と同様、以下の図では、各部材を認識可能な大きさとするため、縮尺を適宜変更している。第１実施形態と同一の構成要素については、その説明を省略する。本実施形態では、電気泳動表示装置の構成が第１実施形態の構成とほぼ同様であるため、第１実施形態と同一の符号を用いて説明する。本実施形態では、共通電極２１に接続された電源ドライバ２２が高周波のパルス電圧を印加可能である点で、第１実施形態とは構成が異なっている。
【００３８】
このように構成された電気泳動表示装置１の動作を説明する。ここでは、第１実施形態と同一の例において、書き込みのステップを中心に説明する。  
まず、表示部２の表示領域を全白消去する。その後、表示部２の表示領域に黒丸の画像データを１回書き込む（１回目）。具体的な書き込みの動作は第１実施形態と同様である。
【００３９】
１回目の書き込み後、図１０に示すように、共通電極２１に高周波のパルス電圧を印加する。このパルス電圧の周波数は、書込信号として認識されない程度に十分に高い周波数であり、例えば１０ｋＨｚ〜１００ＭＨｚ程度が好ましい。高周波のパルス電圧を印加した後、表示部２の表示領域に黒丸の画像データをもう１回書き込む（２回目）。具体的な動作は第１実施形態と同様である。
【００４０】
２回目の書き込み後、図１０に示すように、共通電極２１に高周波のパルス電圧を再度印加する。高周波のパルス電圧を印加した後、表示部２の表示領域に黒丸の画像データをさらに１回書き込む（３回目）。
【００４１】
このように、本実施形態によれば、書込電圧が印加される期間の間に、共通電極２１に高周波のパルス電圧を印加することとしたので、当該高周波のパルス電圧によって帯電粒子（白色粒子３２、黒色粒子３３）の動きに加速をつけることができる。これにより、帯電粒子の移動が促進されるので、残像が形成されにくくなる。
【００４２】
［第４実施形態］
次に、本発明の第４実施形態係る電子機器について、電子ブックを例に挙げて説明する。  
図１１は、電子ブックの構成を示す斜視図である。  
同図に示すように、電子ブック１３１は、ブック形状のフレーム１３２と、このフレーム１３２に開閉可能なカバー１３３とを有する。フレーム１３２には、その表面に表示面を露出させた状態で表示部１３４が設けられ、さらに、操作部１３５が設けられている。フレーム１３２の内部には、コントローラ、カウンタ及びメモリも内蔵されている。この表示部１３４として、上記の電気泳動表示装置１が搭載されている。  
このように、残像が形成されにくい電気泳動表示装置１、１０１が搭載されているので、表示特性の高い電子ブック１３１を得ることができる。
【００４３】
本発明の技術範囲は上記実施形態に限定されるものではなく、本発明の趣旨を逸脱しない範囲で適宜変更を加えることができる。  
上記各実施形態では、白色粒子３２と黒色粒子３３とを用いて白黒表示を行う電気泳動表示装置１を例に挙げて説明したが、これに限られるものではなく、例えば黒色粒子３３のほかに赤色、緑色、青色、黄色などの着色粒子を用いてフルカラー表示を行う電気泳動表示装置であっても本発明の適用は可能である。
【図面の簡単な説明】
【００４４】
【図１】本発明の第１実施形態に係る電気泳動表示装置の模式的な構成を示す図。
【図２】電気泳動表示装置の構成を示す断面図。
【図３】マイクロカプセルの構成を示す断面図。
【図４】表示部の一画素の回路構成を示す図。
【図５】表示部に表示される画像データ及び表示部の表示状態を示す図。
【図６】書込電圧の波形を示す図。
【図７】書込電圧の書込回数と表示部のコントラスト比との関係を示すグラフ。
【図８】本発明の第２実施形態に係る電気泳動表示装置の一部の構成を示す図。
【図９】書込電圧の波形を示す図。
【図１０】本発明の第３実施形態に係る電気泳動表示装置の書込電圧の波形を示す図。
【図１１】本発明の第４実施形態に係る電子ブックの構成を示す斜視図。
【符号の説明】
【００４５】
１…電気泳動表示装置  ２…表示部  ３…データ線駆動回路  ４…走査線駆動回路  ５…データ線  ６…走査線  ７…画素  １１…画素電極  ２０…表示基板  ２０ａ…表面  ２１…共通電極  ３０…マイクロカプセル３２…白色粒子  ３３…着色粒子  ３４…イオン層  ４１…ＴＦＴ  ４２…ＴＦＴ  １３１…電子ブック
【図１】
2008139737.tif 000003
【図２】
2008139737.tif 000004
【図３】
2008139737.tif 000005
【図４】
2008139737.tif 000006
【図５】
2008139737.tif 000007
【図６】
2008139737.tif 000008
【図７】
2008139737.tif 000009
【図８】
2008139737.tif 000010
【図９】
2008139737.tif 000011
【図１０】
2008139737.tif 000012
【図１１】
2008139737.tif 000013